(57)【要約】【課題】出席者に対する招く側の気持ちをより強く伝え得る席札を提供する。【解決手段】表面に出席者名１３が表示される席札１であって、折り紙２で作製された折り鶴の折り紙細工３で構成されると共に、折り目１１によって区画された複数の区画領域１２のうちの折り紙細工３の一方の翼４の表面に位置する１つの区画領域１２Ａ内に出席者名１３が表示され、他方の翼５の表面に位置する他の１つの区画領域１２Ｂ内に挨拶文１４が表示されている。【選択図】図１
2010266621.tif 000002
【特許請求の範囲】
【請求項１】
表面に出席者名が表示される席札であって、
折り紙で作製された動植物の折り紙細工で構成されると共に、折り目によって区画された複数の区画領域のうちの当該折り紙細工の表面に位置する１つの区画領域内に少なくとも前記出席者名が表示されている席札。
【請求項２】
前記折り紙細工の表面に位置する前記区画領域のうちの最大面積の区画領域内に前記出席者名が表示されている請求項１記載の席札。
【請求項３】
前記折り紙細工の表面に位置する前記区画領域のうちの他の１つの区画領域内に前記出席者に対する挨拶文が表示されている請求項１または２記載の席札。
【請求項４】
前記折り紙細工は折り鶴であり、当該折り鶴のボディ部内に土産用小物が収容されている請求項１から３のいずれかに記載の席札。
【請求項５】
前記折り紙細工は折り鶴であり、前記出席者名が表示された前記１つの区画領域は翼の上面に位置している請求項１または２記載の席札。
【請求項６】
前記折り紙細工は折り鶴であり、前記挨拶文が表示された前記他の１つの区画領域は翼の上面に位置している請求項３記載の席札。
【請求項７】
前記折り紙の裏面に蛍光塗料および蓄光塗料の少なくとも一方が塗布されている請求項１から６のいずれかに記載の席札。
【発明の詳細な説明】
【技術分野】
【０００１】
本発明は、結婚披露宴などの各種宴会または会合において出席者の席位置を示すために使用される席札に関するものである。
【背景技術】
【０００２】
この種の席札として、下記の特許文献１に開示された席札が知られている。この席札は、表面に花柄の模様等が予め印刷された紙片に、一対の折り目をプレス形成して、この各折り目を折って各々傾斜折り片と水平折り片とを形成して構成される。この席札によれば、山形状の傾斜折り片と水平折り片とがあるため、安定性に優れ、記名欄が形成される手前側傾斜折り片を自立状態として安定的に席上におくことができる。また、席上におかれた状態において席札は、手前側の水平折り片に新郎新婦のメッセージ（挨拶文）を記載することで、招く側の者の気持ちを出席者に伝えることができる構成となっているため、従来の単に紙片に名前を記したもののように粗末に扱われることがなく、結婚披露を記念したものとして大切に扱われるものとなっている。
【先行技術文献】
【特許文献】
【０００３】
【特許文献１】登録実用新案第３０１４１７６号公報（第２−６頁、第１図）
【発明の概要】
【発明が解決しようとする課題】
【０００４】
ところが、上記の席札には、以下の改善すべき課題が存在している。すなわち、上記の席札は、四角形状の紙片を四辺のうちの一辺と平行な複数の折り目に沿って折り曲げた（つづら折りした）単純な形状である。このため、この席札には、出席者に対する招く側の気持ちを形状で表すことができない結果、この気持ちを出席者に対してより強く伝えることができないという改善すべき課題が存在している。
【０００５】
本発明は、かかる課題を改善すべくなされたものであり、出席者に対する招く側の気持ちをより強く伝え得る席札を提供することを主目的とする。
【課題を解決するための手段】
【０００６】
上記目的を達成すべく請求項１記載の席札は、表面に出席者名が表示される席札であって、折り紙で作製された動植物の折り紙細工で構成されると共に、折り目によって区画された複数の区画領域のうちの当該折り紙細工の表面に位置する１つの区画領域内に少なくとも前記出席者名が表示されている。
【０００７】
また、請求項２記載の席札は、請求項１記載の席札において、前記折り紙細工の表面に位置する前記区画領域のうちの最大面積の区画領域内に前記出席者名が表示されている。
【０００８】
また、請求項３記載の席札は、請求項１または２記載の席札において、前記折り紙細工の表面に位置する前記区画領域のうちの他の１つの区画領域内に前記出席者に対する挨拶文が表示されている。
【０００９】
また、請求項４記載の席札は、請求項１から３のいずれかに記載の席札において、前記折り紙細工は折り鶴であり、当該折り鶴のボディ部内に土産用小物が収容されている。
【００１０】
また、請求項５記載の席札は、請求項１または２記載の席札において、前記折り紙細工は折り鶴であり、前記出席者名が表示された前記１つの区画領域は翼の上面に位置している。
【００１１】
また、請求項６記載の席札は、請求項３記載の席札において、前記折り紙細工は折り鶴であり、前記挨拶文が表示された前記他の１つの区画領域は翼の上面に位置している。
【００１２】
また、請求項７記載の席札は、請求項１から６のいずれかに記載の席札において、前記折り紙の裏面に蛍光塗料および蓄光塗料の少なくとも一方が塗布されている。
【発明の効果】
【００１３】
請求項１記載の席札によれば、表面に出席者名が表示された動植物の折り紙細工で構成されているため、宴会や会合の種類（内容）にふさわしい動植物で構成することにより、出席者名を表示するという席札としての基本機能を発揮しつつ、挨拶文や模様以外の構成（例えば形状）からも、出席者に対する招く側の気持ちを発することができ、この気持ちを出席者により強く伝えることができる。
【００１４】
また、請求項２記載の席札によれば、折り紙細工の表面に位置する区画領域のうちの最大面積の区画領域内に出席者名を表示するようにしたことにより、出席者名をより大きな文字で表記することができ、席札としての基本機能を十分に発揮させることができる。
【００１５】
また、請求項３記載の席札によれば、折り紙細工の表面に位置する区画領域のうちの他の１つの区画領域内に挨拶文を表示したことにより、招く側の者の気持ちを挨拶文を通しても出席者に伝えることができる。
【００１６】
また、請求項４記載の席札によれば、折り紙細工を折り鶴としたことにより、結婚披露宴のようなめでたい会に使用することで、鶴の持つめでたいイメージを通して招く側の嬉しい気持ちを出席者により的確に伝えることができる。また、鶴の持つめでたいイメージを通して、宴会の雰囲気を盛り上げることもできる。さらに、二人で新たな人生に飛び立つという気持ちを折り鶴を通して出席者に伝えることができる。また、折り鶴のボディ部内に出席者への土産用小物（例えば鈴や飴など）を収容することにより、出席者に対する招く側のもてなしの気持ちを席札に込めて表すことができる。特に、折り紙細工を折り鶴としたときには、そのボディ部は開口部の極めて小さい袋状に形成されるため、ボディ部に収容した土産用小物の脱落を確実に防止することができる。また、折り鶴の場合にはボディ部に収容された土産用小物が重りとなるため、鶴の形状の席札を傾かせることなく、起立させた状態（両翼がテーブルに接しない状態）で安定してテーブル上に載置することができる。
【００１７】
また、請求項５記載の席札では、出席者名が表示された１つの区画領域が翼の上面に位置して構成されている。この折り鶴の折り紙細工では、面積の最大となる翼の全体に占める割合が、種々の折り紙細工の中でも大きいものとなると共に、各翼は、折り鶴が載置されるテーブルに対して平行に近い状態になっている。したがって、この席札によれば、翼の表面に出席者名を表示させたことにより、他の折り紙細工を使用する場合よりも出席者名を大きく、かつ見やすい状態で表示させることができる結果、席札としての基本機能を一層高めることができる。
【００１８】
また、請求項６記載の席札では、折り紙細工の折り鶴で構成され、挨拶文が表示された他の１つの区画領域は翼の上面に位置して構成されている。この席札によれば、上記の出席者名と同様にして、最大面積の区画領域に挨拶文を表示させることができ、この結果、文字数の多い挨拶文を余裕を持って表示させることができる。したがって、席札としての基本機能を一層高めることができる。
【００１９】
また、請求項７記載の席札によれば、折り紙の裏面に蛍光塗料および蓄光塗料の少なくとも一方を塗布したことにより、室内照明が落とされたときに、各席の席札自体を一斉に発光させることができるため、宴会の雰囲気を盛り上げることができる結果、招く側の出席者に対するもてなしの気持ちをより強く表すことができる。
【図面の簡単な説明】
【００２０】
【図１】折り鶴の折り紙細工３で構成された席札１の構成を示す構成図である。
【図２】席札１を作製するための折り紙２の平面図である。
【発明を実施するための形態】
【００２１】
以下、席札の実施の形態について、添付図面を参照して説明する。なお、席札として、結婚式の披露宴において使用される席札を例に挙げて説明する。
【００２２】
席札１は、図１に示すように、一枚の折り紙２（図２参照）で作製された動植物の折り紙細工３（本例では鳥。一例として折り鶴）で構成されている。なお、折り紙２の材質は任意であるが、披露宴においては高級なイメージがある和紙が好ましい。また、席札１は、折り目１１（図２中の破線で示す部位）によって区画された複数の区画領域１２のうちの折り紙細工３の表面に位置し、かつ面積が最大の１つの区画領域１２Ａ内に出席者名１３が表示されている。また、複数の区画領域１２のうちの折り紙細工３の表面に位置する他の１つの区画領域１２Ｂ内に、挨拶文１４が表示されている。また、この席札１では、挨拶文１４と共に、新郎新婦名１５および両家の家紋１６，１７が区画領域１２Ｂ内に表示されている。この場合、挨拶文１４は文字数が多いため、挨拶文１４が表示される区画領域１２Ｂは、出席者名１３が表示される区画領域１２Ａに次ぐ面積の区画領域１２に規定するのが好ましい。
【００２３】
具体的には、本例では折り紙細工３は折り鶴であるため、一対の翼４，５の上面を構成する２つの区画領域１２Ａ，１２Ｂが最大面積の区画領域となる。このため、出席者名１３は、一方の翼４の上面を構成する１つの区画領域１２Ａ内に表示されている。また、挨拶文１４、新郎新婦名１５および家紋１６，１７は、他方の翼５の上面を構成する他の１つの区画領域１２Ｂ内に表示されている。本例の折り紙細工３では、図２に示すように各翼４，５に折り目の付かない公知の折り方を採用しているため、区画領域１２Ａは翼４の上面全体を構成し、区画領域１２Ｂは翼５の上面全体を構成している。また、この席札１の表面に位置する各区画領域１２Ａ，１２Ｂを含む区画領域１２には、図示はしないが、花柄などの華やかな雰囲気を演出する模様が表示されている。
【００２４】
なお、折り紙細工３の種類によっては、理論上、互いの形状が同一となって、それぞれが最大面積の区画領域となる複数の区画領域１２が存在するものがあるが、実際には、作製上のばらつきにより、これらの区画領域１２が同一形状で、かつ同一面積となることは極めて希であり、いずれか１つが最大面積の区画領域１２となり、他の区画領域１２は最大面積の区画領域１２とはならない状態となる。しかしながら、このような場合においても、現実の面積に拘わらず、形状および面積が理論上同一となる複数の区画領域は、いずれも最大面積の区画領域１２であるものとし、出席者名１３がこれらの区画領域のいずれに表示されていたとしても、最大面積の区画領域１２に表示されているものとする。したがって、本例の折り鶴の折り紙細工３で構成された席札１においても、理論的には一対の翼４，５が同一形状・同一面積となるため、現実の面積に拘わらず、出席者名１３は、各翼４，５のいずれに表示されていても、最大面積の区画領域１２に出席者名１３が表示されているものとする。
【００２５】
また、本例では、席札１を構成する折り紙細工３の折り鶴が、席に付いた出席者に向かう合うように、頭を出席者の椅子側に向けて載置される場合を考慮して、各翼４，５上の出席者名１３、挨拶文１４および新郎新婦名１５の各文字や家紋１６，１７の向きが、折り紙細工３の正面側（折り鶴の頭側）から見たときに、正立状態（逆さではない状態）となるように表示されている。ただし、披露宴の各出席者の席（テーブル上）に載置される席札１の向きに応じて、出席者名１３等の文字の向きや家紋１６，１７の向きを適宜変更してよいのは勿論である。
【００２６】
このように、この席札１によれば、表面に出席者名１３が表示された動植物の折り紙細工３で構成されているため、宴会や会合の種類（内容）にふさわしい動植物で構成することにより、出席者名１３を表示するという席札としての基本機能を発揮しつつ、挨拶文１４や模様以外の構成（本例では鶴の形状）からも、出席者に対する招く側の気持ちを発することができ、この気持ちを出席者により強く伝えることができる。
【００２７】
また、この席札１によれば、折り紙細工３の表面に位置する区画領域１２のうちの最大面積の区画領域１２Ａ内に出席者名１３を表示するようにしたことにより、出席者名１３をより大きな文字で表記することができ、席札としての基本機能を十分に発揮させることができる。
【００２８】
また、この席札１によれば、折り紙細工３の表面に位置する区画領域１２のうちの他の１つの区画領域１２Ｂ内に挨拶文１４を表示したことにより、招く側の者の気持ちを挨拶文１４を通しても出席者に伝えることができる。
【００２９】
また、この席札１によれば、折り紙細工３を折り鶴としたことにより、結婚披露宴のようなめでたい会に使用することで、鶴の持つめでたいイメージを通して招く側の嬉しい気持ちを出席者により的確に伝えることができる。また、鶴の持つめでたいイメージを通して、宴会の雰囲気を盛り上げることもできる。さらに、二人で新たな人生に飛び立つという気持ちを折り鶴を通して出席者に伝えることができる。また、折り鶴の折り紙細工３では、面積の最大となる区画領域１２Ａ，１２Ｂ（一対の翼４，５）の全体に占める割合が、種々の折り紙細工の中でも大きいものとなると共に、この区画領域１２Ａ，１２Ｂが、載置されるテーブルに対して平行に近い状態になっている。このため、この席札１によれば、一方の翼４の表面に出席者名１３を表示させたことにより、他の折り紙細工を使用する場合よりも出席者名１３を大きく、かつ見やすい状態で表示させることができる結果、席札としての基本機能を一層高めることができる。
【００３０】
また、この席札１によれば、折り紙細工３を折り鶴とし、かつ出席者名１３を表示させた一方の翼４と異なる他の翼５の表面に挨拶文１４を表示させたことにより、出席者名１３と同様にして、最大面積の区画領域１２Ｂに挨拶文１４を表示させることができ、この結果、文字数の多い挨拶文１４を余裕を持って表示させることができる。また、挨拶文１４と共に、新郎新婦名１５や、両家の家紋１６，１７なども翼５に表示させることができる。したがって、この席札１によれば、席札としての基本機能を一層高めることができる。
【００３１】
なお、上記の構成に限定されない。例えば、折り紙細工３として折り鶴を採用した例について上記したが、鶴と同様にして、二人で新たな人生に飛び立つという気持ちを出席者に伝えるため、鶴以外の他の種類の鳥（ハトなど）やチョウチョなどの折り紙細工３で席札１を構成することもできる。また、鶴と共にめでたいイメージを持つ亀などの各種の動物の折り紙細工３を採用して席札１を構成することもできるし、矢車草、月見草、アヤメなどの各種の植物の折り紙細工３を採用して席札１を構成することもできる。
【００３２】
また、折り鶴のように、折り紙２によって袋状に形成された部位（折り鶴の場合には、一対の翼４，５で挟まれたボディ部６）を有する種類の折り紙細工３で席札１を構成した場合には、この袋状の部位内に出席者への土産用小物（例えば鈴や飴など）７を収容することもできる。これにより、出席者に対する招く側のもてなしの気持ちを席札１に込めて表すことができる。特に、折り紙細工３を折り鶴としたときには、そのボディ部６は開口部の極めて小さい袋状に形成されるため、ボディ部６に収容した土産用小物７の脱落を確実に防止することができる。また、折り鶴の場合にはボディ部６に収容された土産用小物７が重りとなるため、鶴の形状の席札１を傾かせることなく、起立させた状態（両翼４，５がテーブルに接しない状態）で安定してテーブル上に載置することができる。
【００３３】
また、土産用小物７として、蛍光材料および蓄光材料のうちの少なくとも１つの材料を含んで構成されたブロック体（球状体など）、またはこの材料が表面に塗布されたブロック体をボディ部６に収容することもでき、この構成によれば、例えば披露宴のキャンドルサービス時などのように室内照明が落とされたときに、席札１内の土産用小物７が発光することによって各席の席札１自体を一斉に発光させることができるため、宴会の雰囲気を盛り上げることができる結果、招く側の出席者に対するもてなしの気持ちをより強く表すことができる。
【００３４】
また、席札１内の土産用小物７を発光させる構成に代えて、折り紙２の裏面に蛍光塗料および蓄光塗料の少なくとも一方を塗布する構成を採用することもできる。この構成においても、室内照明が落とされたときに、各席の席札１自体を一斉に発光させることができるため、土産用小物７を発光させる構成と同様にして、招く側の出席者に対するもてなしの気持ちをより強く表すことができる。また、折り紙２の裏面に蛍光塗料等を塗布する構成においては、折り紙２の裏面全体に塗布して席札１全体を発光させたり、折り紙２の任意の区画領域１２にのみ塗布して、席札１におけるこの区画領域１２に対応する特定部位のみを発光させたりすることができる。折り紙細工３で構成された席札１の特定部位のみを発光させる例としては、折り鶴の折り紙細工３の場合には、出席者名１３が表示された一方の翼４のみを発光させることで、出席者への感謝の気持ちを強く表すことができる。なお、他の部位（翼５、ボディ部６、頭、尾など）を発光させてもよいのは勿論である。
【００３５】
また、披露宴に使用される席札１について上記したが、他の様々な宴会や会議、さらに告別式や葬式（その後に設けられる宴席を含む）および各種法事などの種々の会合に使用される席札１を折り紙細工３で構成してもよいのは勿論である。また、出席者名としては、氏および名の一方だけでもよいのは勿論である。２枚以上の折り紙を用いて全体として１つの動植物の折り紙細工で構成してもよい。
【符号の説明】
【００３６】
１  席札
２  折り紙
３  折り紙細工
６  ボディ部
７  土産用小物
１２  区画領域
１３  出席者名
１４  挨拶文
【図１】
2010266621.tif 000003
【図２】
2010266621.tif 000004